(57)【要約】【課題】輸液ポンプを架台を介してポールに取り付けた場合に、輸液ポンプ及び架台の全体の高さを抑える。【解決手段】ポンプ本体１１の底部に架台配置用の凹部１５を設け、その凹部１５の深さ（前脚１４ａ及び後脚１４ｂの最下端に対する深さ）を、当該凹部１５への架台２の配置部分（架台本体２０）の高さよりも大きくしている。このような架台配置用の凹部１５をポンプ本体１１に設けておくことにより、輸液ポンプ１を架台２に取り付けた状態において、架台２（架台本体２０）が前脚１４ａ及び後脚１４ｂの最下端よりも下方に出っ張ることがなくなる。これにより、輸液ポンプ１を架台２に取り付けた状態での全体の高さを、輸液ポンプ１自体の高さ（輸液ポンプ１の前脚１４ａ及び後脚１４ｂの最下端から頂部までの高さ）に抑えることができる。【選択図】図１０
2015112335.tif 000002
【特許請求の範囲】
【請求項１】
ポンプ本体の底部に前脚及び後脚が設けられた輸液ポンプにおいて、
前記ポンプ本体の底部であって前記前脚と後脚との間に架台配置用の凹部が設けられており、前記凹部の前記前脚及び後脚の最下端に対する深さが、当該凹部への前記架台の配置部分の高さよりも大きいことを特徴とする輸液ポンプ。
【請求項２】
請求項１記載の輸液ポンプにおいて、
前記凹部は、前記ポンプ本体の左右の両側面において開放されていることを特徴とする輸液ポンプ。
【発明の詳細な説明】
【技術分野】
【０００１】
本発明は、医療用の薬液を体内に注入する場合などに用いる輸液ポンプに関する。
【背景技術】
【０００２】
輸液ポンプとしては、フィンガ式（ペリスタルティック式）の輸液ポンプがある。フィンガ式輸液ポンプは、例えば、複数のフィンガとチューブ押え板との間に、輸液バッグに接続された輸液チューブを配置した状態で、各フィンガを輸液チューブに対して進退駆動させ、各フィンガにて輸液チューブを押しつぶすことによって輸液を送り出す方式の輸液ポンプである（例えば、特許文献１及び２参照）。
【０００３】
このような輸液ポンプにあっては、当該輸液ポンプを安定した台の上に設置して輸液を行う場合と、輸液ポンプをポールスタンド等のポールに取り付けて輸液を行う場合とがある。
【０００４】
輸液ポンプをポールに取り付ける場合、例えば、図１３に示すように、架台２０２（クランプ２３０付き）をポールＰに取り付けた後に、その架台２０２の上に輸液ポンプ２０１の脚２１１・・２１１を載置し、ノブボルト等を用いて輸液ポンプ２０１を架台２０２に固定している。あるいは、輸液ポンプ２０１を架台２０２上に取り付けた後に、架台２０２をポールスタンドのポールＰに取り付けている。このようにしてポールＰに取り付けられる輸液ポンプ２０１にあっては、架台２０２を取り付けたままの状態で台上に置かれる場合もあるので架台２０２の底部に４本の脚２２１・・２２１が設けられている。
【先行技術文献】
【特許文献】
【０００５】
【特許文献１】特許第３５９５１３６号公報
【特許文献２】特開２０１３−００６０２１号公報
【発明の概要】
【発明が解決しようとする課題】
【０００６】
ところで、図１３に示す取付構造では、輸液ポンプ２０１の脚２１１・・２１１を架台２０２の上に載せて当該輸液ポンプ２０１を架台２０２に取り付けるているので、輸液ポンプ２０１の頂部から架台２０２の底部（脚２２１の下端）までの全体の高さが高くなってしまう。また、輸液ポンプ２０１の脚２１１・・２１１に加えて、架台２０２にも脚２２１・・２２１が必要になる。
【０００７】
本発明はそのような実情を考慮してなされたもので、架台に取り付けることが可能な輸液ポンプにおいて、当該輸液ポンプを架台に取り付けた場合に、輸液ポンプ及び架台の全体の高さを抑えることが可能な構造を提供することを目的とする。
【課題を解決するための手段】
【０００８】
本発明は、ポンプ本体の底部に前脚及び後脚が設けられた輸液ポンプにおいて、前記ポンプ本体の底部であって前記前脚と後脚との間に架台配置用の凹部が設けられており、前記凹部の前記前脚及び後脚の最下端に対する深さが、当該凹部への前記架台の配置部分の高さよりも大きいことを特徴としている。
【０００９】
本発明によれば、ポンプ本体の底部に架台配置用の凹部を設け、その凹部の深さ（前脚及び後脚の最下端に対する深さ）を、当該凹部への架台の配置部分（架台本体）の高さよりも大きくしているので、輸液ポンプ（ポンプ本体）を架台に取り付けた状態において架台（架台本体）が前脚及び後脚の最下端よりも下方に出っ張ることがなくなる。これにより輸液ポンプを架台に取り付けた状態での全体の高さを、輸液ポンプ自体の高さ（輸液ポンプの前脚及び後脚の最下端から頂部までの高さ）に抑えることができる。
【００１０】
しかも、架台が輸液ポンプの脚の最下端よりも下方に出っ張らないので、架台を取り付けた状態で台上に載置する場合でも、輸液ポンプの脚をそのまま利用することができる。これによって架台に脚を設ける必要がなくなり、部品点数を低減することができる。
【００１１】
本発明において、ポンプ本体の底部に設ける凹部は、ポンプ本体の左右の両側面において開放されていることが好ましい。このように凹部の左右を開放しておくことにより、輸液ポンプに対する架台の取付向きを左側または右側とすることが可能になるので、輸液ポンプをポールスタンド等のポールの右側及び左側のいずれか一方に選択的に配置することできる。また、輸液ポンプを架台に取り付ける際に、架台（凹部への配置部分）を凹部に横方向から挿し入れる（スライド挿入する）ことが可能になる。
【発明の効果】
【００１２】
本発明よれば、ポンプ本体の底部に架台配置用の凹部を設け、その凹部の深さを架台（凹部への配置部分）の高さよりも大きくしているので、輸液ポンプを架台に取り付けた状態での全体の高さを抑えることができる。
【図面の簡単な説明】
【００１３】
【図１】図１（Ａ）は本発明を適用する輸液ポンプの一例を示す正面図、図１（Ｂ）はその輸液ポンプの右側面図である。
【図２】図１に示す輸液ポンプの底面図である。
【図３】図１に示す輸液ポンプの部分断面右側面図である。
【図４】図１に示す輸液ポンプの部分断面背面図である。
【図５】図５（Ａ）は架台の正面図、図５（Ｂ）その架台の平面図である。
【図６】図５に示す架台の左側面図である。
【図７】図５に示す架台の底面図である。
【図８】図５（Ａ）のＩ−Ｉ断面図である。なお、図８においてノブボルトについては切断しない状態で表記している。
【図９】図９（Ａ）は輸液ポンプに架台を取り付けた状態で示す正面図、図９（Ｂ）は輸液ポンプに架台を取り付けた状態で示す左側面図である。
【図１０】輸液ポンプに架台を取り付けた状態で示す部分断面右側面図である。
【図１１】輸液ポンプに架台を取り付けた状態で示す部分断面背面図である。
【図１２】図１２（Ａ）は輸液ポンプをポールの右側に取り付けた場合の正面図、１２（Ｂ）は輸液ポンプをポールの左側に取り付けた場合の正面図である。
【図１３】従来の輸液ポンプをポールに取り付けた状態を示す正面図である。
【発明を実施するための形態】
【００１４】
以下、本発明の実施形態を図面に基づいて説明する。
【００１５】
本発明の輸液ポンプの一例について図１〜図４を参照して説明する。
【００１６】
輸液ポンプ１は、ポンプ本体１１と、このポンプ本体１１の前面側（チューブ取付位置）を閉鎖する扉１２とを備えている。
【００１７】
ポンプ本体１１の底部（底面）には、左右一対の前脚１４ａ，１４ａ、及び、左右一対の後脚１４ｂ，１４ｂの４本の脚が設けられている。扉１２はヒンジ１３，１３（図９参照）を介してポンプ本体１１に揺動自在（回転自在）に支持されており、ポンプ本体１１の前面側を完全に閉鎖する位置から、完全開放位置までの間において揺動可能となっている。
【００１８】
ポンプ本体１１にはポンプ機構が設けられている。そのポンプ機構は、例えば、一方向（輸液チューブに沿う方向）に配列された複数のフィンガ、その各フィンガを個別に進退駆動（前進・後退駆動）するカム、及び、カムに駆動力を与えるアクチュエータ（例えば電動モータ）などによって構成されており、その複数のフィンガの先端部がポンプ本体１１の前面側に臨んでいる。
【００１９】
また、扉１２の内面側にはチューブ押え板が設けられている。チューブ押え板は上記ポンプ機構の複数のフィンガに対応する位置に設けられている。このチューブ押え板は、扉１２を閉じた状態で、最後退位置にある状態のフィンガの先端面に対して、輸液チューブＴの外径（直径）に対応する間隔をあけて対向するようになっている。
【００２０】
そして、この例の輸液ポンプ１においては、輸液バッグに接続された輸液チューブを、上記複数のフィンガとチューブ押え板との間にセットした状態（扉１２を閉鎖した状態）で、各フィンガをカムにて個別に進退駆動することにより、輸液チューブを各フィンガで順次押圧して輸液を送り出すように構成されている。
【００２１】
なお、ポンプ機構等の具体的な構成については、例えば、特開２０１３−０７０７０５公報、特開２０１３−００６０２１号公報、特開２０１２−２４９６５１号公報などを参照。
【００２２】
−架台−
次に、輸液ポンプ１をポールスタンド等のポール（パイプ）Ｐに取り付ける際に用いる架台２について図５〜図１１を参照して説明する。
【００２３】
架台２は、架台本体２０と、この架台本体２０に一体的に設けられたクランプ３０と、ノブボルト４０とを備えている。クランプ３０は架台本体２０の下端よりも上方に配置されている。
【００２４】
架台本体２０は、平面形状が矩形の部材であって、中央に段付きの貫通孔２１が設けられている。この貫通孔２１の内径（小径部の内径）は、後述するノブボルト４０のねじ部４３の外径よりも大きい。また、架台本体２０には、貫通孔２１を挟んで対向する位置に位置決めピン２２，２２が設けられている。各位置決めピン２２，２２は上側（ポンプ本体１１側）に突出している。これら２つの位置決めピン２２，２２及び上記貫通孔２１の各中心は架台本体２０の中央を通る直線（Ｘ方向に沿う直線）上に配置されている。
【００２５】
なお、架台本体２０の下部側には、当該架台本体２０の周縁部から下方に突出する周壁（補強用）２０ａが一体形成されている。この周壁２０ａの内側（架台本体２０の下部）に架台本体２０の剛性を高めるためのリブを形成しておいもよい。
【００２６】
クランプ３０は、クランプ本体３１、可動クランプ部材３２、送りねじ棒３３などを備えている。
【００２７】
クランプ本体３１は、所定の間隔を隔てて互いに対向する固定クランプ部３１１及びアーム部３１２と、ガイド部３１３とを有する。ガイド部３１３はＸ方向に直線状に延びる部材であって、その両端部に固定クランプ部３１１とアーム部３１２とが一体形成されている。固定クランプ部３１１の内側の面（可動クランプ部材３２と対向する面）には、Ｖ字状のポール受け部３１１ａが設けられている。
【００２８】
可動クランプ部材３２はクランプ本体３１の固定クランプ部３１１に対向して配置されている。可動クランプ部材３２はガイド部３１３に沿ってＸ方向に移動可能である。可動クランプ部材３２には上下一対の係合片３２ａ，３２ａが設けられている。この上下の係合片３２ａ，３２ａはガイド部３１３の上面側または下面側とに当たることにより、可動クランプ３２の回転を規制する部材である。また、可動クランプ部材３２には、上記固定クランプ部３１１のポール受け部３１１ａと対向する部分にＶ字状のポール押え部３２ｂが設けられている。
【００２９】
アーム部３１２には雌ねじ孔３１２ａが設けられている。この雌ねじ孔３１２ａの中心は、上記ガイド部３１３と平行な方向（Ｘ方向）に沿っている。また、雌ねじ孔３１２ａの中心は可動クランプ部材３２の中央位置に略一致している。雌ねじ孔３１２ａには送りねじ棒３３がねじ込まれている。送りねじ棒３３の先端部（固定クランプ部３１１側の端部）には上記可動クランプ部材３２が回転自在に連結されている。また、送りねじ棒３３の他端には回転ノブ３３ａが一体的に設けられている。そして、その回転ノブ３３ａを回転操作することにより、可動クランプ部材３２がガイド部３１３に沿って前進（固定クランプ部３１１に接近する向き（Ｘ方向）への移動）し、回転ノブ３３ａを逆回転操作することにより、可動クランプ部材３２が後退（固定クランプ部３１１に対して離反する向き（Ｘ方向）への移動）する。なお、可動クランプ部材３２の前進・後退過程において、送りねじ棒３３により可動クランプ部材３２に回転力が加わっても、その回転（可動クランプ部材３２の回転）は上下の係合片３２ａ，３２ａによって規制されるので、可動クランプ部材３２は回転しない状態でＸ方向に移動することができる。
【００３０】
ノブボルト４０は、頭部４１、軸部４２及びねじ部４３を有する。ねじ部４３の外径は軸部４２の外径よりも大きい寸法となっている。このノブボルト４０の軸部４２（ねじ部４３）が、上記架台本体２０の貫通孔２１に下方から挿し込まれている。その挿し込まれた状態で軸部４２に止め輪５０が嵌め込まれており（図８等参照）、この止め輪５０によってノブボルト４０が貫通孔２１から抜け落ちないようになっている。なお、図８等において、ノブボルト４０は架台本体２０に対して最も高い位置（頭部４１が架台本体２０の下面に当接する位置）に配置した状態で示している。
【００３１】
以上の構造の架台２をポールＰに取り付ける際には、クランプ３０の固定クランプ部３１１と可動クランプ部材３２との間にポールＰを配置した状態（図５（Ｂ）及び図７参照）で、回転ノブ３３ａを回転操作し、送りねじ棒３３をねじ込むことによって、可動クランプ部材３２を固定クランプ部３１１に向けて移動させる。そして、ポールＰの外周面に、固定クランプ部３１１のポール受け部３１１ａ及び可動クランプ部材３２のポール押え部３２ｂが当接した状態から、回転ノブ３３ａ（送りねじ棒３３）をさらに締め込むことにより、当該架台２の全体をポールＰに固定することができる。また、架台２をポールＰから取り外す際には、クランプ３０の回転ノブ３３ａを逆転させればよい。
【００３２】
なお、この例のクランプ３０にあっては、固定クランプ部３１１と可動クランプ部材３２とに、それぞれ、Ｖ字状のポール受け部３１１ａとＶ字状のポール押え部３２ｂとを設けているので、直径が異なる複数種のポールＰに架台２を取り付けることができる。
【００３３】
−特徴部分−
次に、本実施形態の特徴部分について図１〜図１１を参照して説明する。
【００３４】
本実施形態では、図１〜図４及び図９〜図１１に示すように、ポンプ本体１１の底部であって前脚１４ａ，１４ａと後脚１４ｂ，１４ｂとの間に、上記した架台本体２０の配置用の凹部（架台配置用凹部）１５を設けている。
【００３５】
この架台配置用の凹部１５は、前側面１５ｂ、後側面１５ｃ、及び、底面（上面）１５ａで構成される底面視矩形の凹部であって、ポンプ本体１１の左右の両側面において開放されている。凹部１５の前側面１５ｂは外側（輸液ポンプ１の前面側）に傾く傾斜面である。また、この前側面１５ｂと底面１５ａとの接線と、後側面１５ｃと底面１５ａとの接線との間の距離は、上記した矩形の架台本体２０の前面２０ｂと後面２０ｃとの間の長さよりも所定量だけ大きい寸法となっている（図１０参照）。
【００３６】
上記凹部１５が設けられている部分のポンプ本体１１の底壁１１ａの中央には、上記ノブボルト４０のねじ部４３と噛み合う雌ねじ孔１６が設けられている。また、ポンプ本体１１の底壁１１ａには、雌ねじ孔１６を挟んで対向する位置に、上記した架台本体２０の位置決めピン２２，２２との嵌合が可能な位置決め孔１７，１７が設けられている。これら凹部１５の位置決め孔１７，１７と、上記した架台本体２０の位置決めピン２２，２２とは対応する位置関係で設けられており、各位置決めピン２２をそれぞれ対応する位置決め孔１７に嵌め込むことができる。また、凹部１５の位置決め孔１７，１７に架台本体２０の位置決めピン２２，２２を嵌め込んだ状態で、ポンプ本体１１の雌ねじ孔１６の中心と、架台本体２０の貫通孔２１の中心（ノブボルト４０のねじ部４３の中心）とが一致するようになっている。
【００３７】
そして、本実施形態にあっては、架台配置用の凹部１５の深さ、つまり、上記前脚１４ａ，１４ａ及び後脚１４ｂ，１４ｂの最下端に対する凹部１５の底面（上面）１５ａの高さを、架台２の架台本体２０（ノブボルト４０の頭部４１も含む）の高さよりも大きくしている点に特徴がある（図１０参照）。
【００３８】
以上のような凹部１５をポンプ本体１１の底部に設けた輸液ポンプ１を架台２に取り付ける場合、ポンプ本体１１の凹部１５に架台２の架台本体２０を下方側（または左右のいずれか一方側）から挿し入れるとともに、架台本体２０の位置決めピン２２，２２をポンプ本体１１の位置決め孔１７，１７に嵌め込む。この状態（ポンプ本体１１と架台本体２０とを位置決めした状態）で、架台２側のノブボルト４０を回転操作して、そのねじ部４３をポンプ本体１１の雌ねじ孔１６にねじ込むことによってポンプ本体１１と架台本体２０とを締結する。
【００３９】
このような輸液ポンプ１の架台２への取り付けは、架台２をポールＰに取り付けていない状態（架台２単体の状態）で行ってもよいし、上記した要領で架台２をポールＰに取り付けた（固定した）状態で行うようにしてもよい。
【００４０】
＜効果＞
以上のように、本実施形態によれば、ポンプ本体１１の底部に架台配置用の凹部１５を設け、その凹部１５の深さ（前脚１４ａ，１４ａ及び後脚１４ｂ，１４ｂの最下端に対する深さ）を、架台本体２０（凹部への配置部分）の高さよりも大きくしているので、輸液ポンプ１（ポンプ本体１１）を架台２に取り付けた状態において架台本体２０が前脚１４ａ，１４ａ及び後脚１４ｂ，１４ｂの最下端よりも下方に出っ張ることはない。これにより、輸液ポンプ１を架台２に取り付けた状態での全体の高さを、輸液ポンプ１自体の高さ（輸液ポンプ１の前脚１４ａ，１４ａ及び後脚１４ｂ，１４ｂの最下端から頂部までの高さ）に抑えることができる。
【００４１】
しかも、凹部１５に配置する架台本体２０（クランプ３０も含む）が、輸液ポンプ１の前脚１４ａ，１４ａ及び後脚１４ｂ，１４ｂの最下端よりも下方に出っ張らないので、架台２を取り付けた状態で輸液ポンプ１を台上に載置する場合でも、輸液ポンプ１の前脚１４ａ，１４ａ及び後脚１４ｂ，１４ｂをそのまま利用することができる。これによって架台２に脚を設ける必要がなくなり、部品点数を低減することができる。
【００４２】
さらに、本実施形態では、架台取付用の凹部１５は、ポンプ本体１１の左右の両側面において開放されているので、輸液ポンプ１に対する架台２の取付向き（輸液ポンプ１に対するクランプ３０の配置）をポンプ本体１１の左側または右側とすることが可能になる。これにより、例えば図１２（Ａ）及び図１２（Ｂ）に示すように、輸液ポンプ１をポールスタンドのポールＰの右側及び左側のいずれか一方に選択的に配置することできる。
【００４３】
また、１つポールスタンド（ポールＰ）に複数台（例えば２台）の輸液ポンプ１・・１を取り付ける場合、それら輸液ポンプ１・・１をポールＰの左右に振り分けて配置（例えば千鳥配置）することが可能になる。これによりポールスタンドの姿勢安定性を確保することができる。また、各輸液ポンプ１にセットする輸液チューブや輸液バッグ等が相互に干渉することを回避することも可能になる。
【００４４】
さらに、本実施形態では、架台取付用の凹部１５の前側面１５ｂを傾斜面としているので、架台本体２０を凹部１５に挿し入れる際に、前側面（傾斜面）１５ｂによって架台本体２０が取付位置に案内される。これにより輸液ポンプ１を架台２に取り付ける際の作業性が向上するという効果もある。
【００４５】
−他の実施形態−
以上の実施形態では、輸液ポンプ１を架台２にノブボルト４０を用いて固定する構造について説明したが、これに替えて、ワンタッチ固定機構を用いて輸液ポンプ１を架台２に固定するようにしてもよい。そのワンタッチ固定機構としては、例えば、ポンプ本体１１と架台本体２０とを連結固定するための固定ピン（例えばポンプ本体１１側に配置）、その固定ピンに設けた係止凹部に係合可能な係止爪（例えば架台２側に配置）、この係止爪を係合側に押圧する係止ばね、及び、解除レバーなどを備え、ポンプ本体１１の凹部１５に架台本体２０を嵌め込んだ際に、固定ピンに係止爪が係合してポンプ本体１１と架台本体２０とが固定され、この固定状態から解除レバーの操作により係止爪の係合が解除されるように構成された機構を挙げることができる。
【産業上の利用可能性】
【００４６】
本発明は、医療用の薬液を体内に注入する場合などに用いる輸液ポンプに利用可能であり、さらに詳しくは、ポールスタンド等のポールに架台を介して取り付けることが可能な輸液ポンプに利用することができる。
【符号の説明】
【００４７】
１  輸液ポンプ
１１  ポンプ本体
１１ａ  底壁
１２  扉
１４ａ  前脚
１４ｂ  後脚
１５  凹部（架台配置用）
１５ａ  底面
１６  雌ねじ孔
１７  位置決め孔
２  架台
２０  架台本体
２１  貫通孔（段付き）
２２  位置決めピン
３０  クランプ
４０  ノブボルト
【図１】
2015112335.tif 000003
【図２】
2015112335.tif 000004
【図３】
2015112335.tif 000005
【図４】
2015112335.tif 000006
【図５】
2015112335.tif 000007
【図６】
2015112335.tif 000008
【図７】
2015112335.tif 000009
【図８】
2015112335.tif 000010
【図９】
2015112335.tif 000011
【図１０】
2015112335.tif 000012
【図１１】
2015112335.tif 000013
【図１２】
2015112335.tif 000014
【図１３】
2015112335.tif 000015